(57)【要約】【課題】腰を曲げたり、しゃがみ込んだりすることなく、ホールポストからボールを取り出して拾い上げることのできるグラウンドゴルフ用のクラブおよびセット物が望まれている。【解決手段】グラウンドゴルフ用のクラブ１は、クラブヘッド２のトゥー部６にマグネット７が取り付けられ、ソール部５にマグネット８が取り付けられている。このマグネット８は、グリップ４を保持されて宙吊りにされた状態のクラブ１における、クラブヘッド２のソール部５の最下部位に取り付けられている。クラブ１と、クラブ１のマグネット７に吸着される磁着体１１が埋め込まれたボール１０とから、セット物Ｓが構成される。【選択図】図１
2011041597.tif 000002
【特許請求の範囲】
【請求項１】
クラブヘッドのトゥー部に第１磁性部材を取り付けて成ることを特徴とするグラウンドゴルフ用のクラブ。
【請求項２】
クラブヘッドのソール部に第２磁性部材を取り付けて成る請求項１に記載のグラウンドゴルフ用のクラブ。
【請求項３】
グリップを保持されて宙吊りにされた状態のクラブにおける、クラブヘッドのソール部の最下部位に、第２磁性部材が取り付けられている請求項２に記載のグラウンドゴルフ用のクラブ。
【請求項４】
請求項１から請求項３のいずれか一項に記載のグラウンドゴルフ用のクラブと、該クラブの第１磁性部材に吸着される磁着体が埋め込まれたボールとから成るセット物。
【発明の詳細な説明】
【技術分野】
【０００１】
本発明は、年齢性別を問わずに楽しめるグラウンドゴルフに使用されるクラブと、このクラブおよびボールから成るセット物に関するものである。
【背景技術】
【０００２】
昭和５７年に始められたグラウンドゴルフは愛好者が徐々に増え、現在は社団法人日本グラウンド・ゴルフ協会とその４７都道府県支部が普及に努めている。このグラウンドゴルフは、一般に約５０ｍ四方の芝生面が外回りと内回りで合計８つのコースに区切られ、１番目のコ−スから順にプレーが行なわれる。通常は１本のクラブで全コースを回るようになっている。
かかるグラウンドゴルフの一般的なプレー状態を図７に示す。まず、スタート台５５のティー上に置かれたボール５６をクラブ６１で打って、ホールポスト５１内に入って止まったときまでの合計打球数で競われる。ここで使用されるホールポスト５１は芝生上に単に置かれるものであって、一般ゴルフのホールのように芝生に穴をあけて形成されるものでない。このホールポスト５１は、芝生上に置かれる直径３０ｃｍの円周枠５２と、円周枠５２の外周３ヶ所から立ち上がって中央部で連結されたフレーム体５７，５７，５７とからなっている。フレーム体５７，５７，５７の連結部分には、コース番号フラッグ５４を有するポール５３が立てられる。そして、プレー途中でのボール位置を印すマーカーとして、プラスチック製や金属製のものが使用される。
【０００３】
ところで、グラウンドゴルフのプレーヤーは多くが高齢者であるが、プレー中にボールやマーカーを置いたり拾い上げたりする回数がかなり多い。その都度、腰を大きくまげたり、しゃがんだりしなければならず、足腰に負担がかかって辛そうにプレーしている姿が見受けられる。
そこで、グリップエンドに磁石が取り付けられていて、芝生上に置かれた鉄製のマーカーをグリップエンドの磁石に磁着させて拾い上げるようにした、グラウンドゴルフ用のクラブが、下記の特許文献１に記載されている。
【先行技術文献】
【特許文献】
【０００４】
【特許文献１】特開２０００−５１４１５号
【発明の概要】
【発明が解決しようとする課題】
【０００５】
上記文献１記載のグラウンドゴルフ用のクラブによれば、プレーヤーは腰を曲げることなくマーカーを拾い上げることができるが、拾い上げに先立ってクラブを天地逆に持ち替えてグリップエンドを下向きにしなければならない。その後マーカーを拾い上げてプレーを再開する際には、再度クラブを天地逆に持ち替えなければならなかった。その一方で、クラブヘッドにボールを磁着させて拾い上げる技術は知られていない。
【０００６】
本発明は、上記した従来の問題点に鑑みてなされたものであって、腰を曲げたり、しゃがみ込んだりすることなく、ホールポストからボールを取り出して拾い上げることのできるグラウンドゴルフ用のクラブおよびセット物の提供を目的とする。
【課題を解決するための手段】
【０００７】
上記目的を達成するために、本発明に係るグラウンドゴルフ用のクラブは、クラブヘッドのトゥー部に第１磁性部材を取り付けて成るものである。
【０００８】
また、前記構成において、クラブヘッドのソール部に第２磁性部材を取り付けて成るものである。
【０００９】
そして、前記構成において、グリップを保持されて宙吊りにされた状態のクラブにおける、クラブヘッドのソール部の最下部位に、第２磁性部材が取り付けられているものである。
【００１０】
更に、本発明に係るセット物は、請求項１から請求項３のいずれか一項に記載のグラウンドゴルフ用のクラブと、該クラブの第１磁性部材に吸着される磁着体が埋め込まれたボールとから成るものである。
【発明の効果】
【００１１】
本発明によれば、クラブヘッドのトゥー部に第１磁性部材が取り付けられているので、磁着体が埋め込まれたボールとともに、本発明に係るクラブを用いると、グラウンド上に置かれたホールポスト内にクラブヘッドのトゥー部を差し込むことができる。そして、ホールポスト内のボールの磁着体をトゥー部の第１磁性部材に磁着させて、ホールポストから横に取り出すことができる。更に、クラブを持ち上げることにより、第１磁性部材に磁着したボールを持ち上げることができる。また、トゥー部の第１磁性部材に、磁着体を有するマーカーを磁着させて拾い上げることも可能である。このようにボールやマーカーをクラブヘッドの第１磁性部材に磁着させることにより、腰を曲げたりしゃがみ込んだりすることなく、芝生上のボールを楽に拾い上げることができる。従って、高齢者であっても足腰に苦痛を覚えることなく、楽しくプレーや練習を行なうことができる。
【００１２】
また、クラブヘッドのソール部に第２磁性部材を取り付けたものでは、磁着体で全体が構成されたマーカー、または磁着体を一部に含んでなるマーカーの上方にソール部をかざすことにより、ソール部の第２磁性部材にマーカーを磁着させることができる。従って、腰を曲げたりしゃがみ込んだりすることなく、マーカーを楽に拾い上げることができる。
【００１３】
そして、グリップを保持されて宙吊りにされた状態のクラブにおける、クラブヘッドのソール部の最下部位に、第２磁性部材が取り付けたものでは、グリップを手で軽く持ってクラブをブラブラと宙吊りにするだけで、ソール部の最下部位に第２磁性部材が位置する。従って、そのままの手持ち状態で磁着体製のマーカーの直上位置に第２磁性部材を配することができる。これにより、マーカーの直上位置に第２磁性部材を合わせようとして、トゥー部とヒール部を結ぶ方向にクラブヘッドを動かす動作および力が不要となるから、無駄な動きをさせることなくマーカーを拾い上げることができる。
【図面の簡単な説明】
【００１４】
【図１】本発明の一実施形態に係るグラウンドゴルフ用のクラブとボールとを組み合わせたセット物を示す正面図である。
【図２】前記クラブのクラブヘッドの底面図である。
【図３】前記クラブヘッドの側面図である。
【図４】前記クラブを用いてマーカーを拾い上げる態様を示す説明図である。
【図５】前記クラブを用いてホールポストから取り出す態様を示す説明図である。
【図６】ホールポストから取り出したボールを持ち上げる態様を示す図であってクラブヘッドは図２におけるＡ−Ａ線矢視断面図である。
【図７】一般的なグラウンドゴルフのプレー状態を示す説明図である。
【発明を実施するための形態】
【００１５】
本発明の実施形態を図面に基づいて説明する。尚、以下に述べる実施形態は本発明を具体化した一例に過ぎず、本発明の技術的範囲を限定するものでない。図１は本発明の一実施形態に係るグラウンドゴルフ用のクラブとボールとを組み合わせたセット物を示す正面図、図２は前記クラブのクラブヘッドの底面図、図３は前記クラブヘッドの側面図である。
各図において、この実施形態に係るグラウンドゴルフ用のクラブ１は、クラブヘッド２と、クラブヘッド２の上面に取り付けられたシャフト３と、シャフト３の上部に取り付けられたグリップ４とから構成されている。クラブヘッド２は、パーシモンなどの材料から製作されたヘッド本体２Ａと、ヘッド本体２Ａの前面からソール部５の前側部分にかけて被設された例えば真ちゅう製の打球面部材２Ｂと、ヘッド本体２Ａ底面のソール部５に取り付けられたマグネット（第２磁性部材）８と、ヘッド本体２Ａ外側面のトゥー部６に取り付けられた２枚のマグネット（第１磁性部材）７，７とから構成されている。
【００１６】
マグネット７，８はいずれも直径１０ｍｍの円板状に形成されたものである。そのうち、マグネット７はボール拾い上げ用として、磁力の大きな例えばネオヂウム永久磁石で構成されている。また、マグネット８はマーカー拾い上げ用として、汎用のフェライト永久磁石で構成されている。マグネット７，８はこれらの外面がヘッド本体２Ａの表面から突出することなくヘッド本体２Ａの外表面と面一になるよう、ヘッド本体２Ａに埋設され、接着剤または両面粘着テープで固着されている。マグネット７はボール１０を拾い上げ用として更に強力な磁力が得られるよう２枚重ねで使用される。そして、マグネット８は、グリップ４を軽く手で持ってクラブ１をブラブラと宙吊りにしたときに、クラブヘッド２のソール部５のうちの最も下に位置する最下部位Ｃに取り付けられている。この最下部位Ｃは、正面から見て、グリップ４の保持位置から下ろした鉛直線Ｅ（図１、図４参照）の線上に位置している。シャフト３は例えば外径２０ｍｍの木製棒体であり、その下端が固定用部材１６および接着剤とともにヘッド本体２Ａ上面の取付穴１５（図６参照）に圧入されて連結固定される。
【００１７】
ボール１０は外径６０ｍｍであって、図６にも示されるように、小球状のコア材１２の周りにゴム糸が巻かれて中間材１３とされている。中間材１３の外周面は、わずかな柔軟性をもつ合成樹脂製の外面材１４で被覆されている。そして、外面材１４には、前後左右上下にほぼ等間隔に離間した６個の鋼板１１，１１，１１，１１，１１，１１（磁着体）が埋設されている。各鋼板１１は円板状に形成されており、これらの鋼板１１，１１，１１，１１，１１，１１はそれぞれの外面がボール１０の外面と面一となるよう、ボール１０外面の曲率半径と同じ曲率半径の外周面を有している。
尚、ボール１０に用いる磁着体（１１）として、磁力を発するもの（例えば永久磁石）は使用できない。このような永久磁石をボールに取り付けると、クラブヘッドやホールポストの磁着金属部分にボールが磁力により吸い寄せられることとなり、ボールとクラブヘッドの正確なインパクトや、ホールポスト近くでの正確な玉筋が得られないからである。
【００１８】
このような構成のクラブ１およびボール１０からセット物Ｓが構成される。また、プレー中に使用されるマーカー１７も、マグネット８に吸着される鋼板（磁着体）で構成されている。上記したボール１０の鋼板１１とマーカー１７は例えばステンレス鋼で構成されることが、錆発生のないことから望ましい。但し、前記のステンレス鋼としては、マグネット７，８に磁着するフェライト系またはマルテンサイト系のステンレス鋼が使用される。無論、上記したステンレス鋼以外の磁着材料（例えば、鉄材、ニッケル材、コバルト材など）を用いても構わない。
【００１９】
上記のように構成されたクラブ１およびボール１０の作用を次に説明する。グラウンドゴルフのプレーヤーは、スタート台のティー上にボール１０を置き、クラブヘッド２の打球面でボール１０を打つ。このとき、ボール１０の鋼板１１，１１，１１，１１，１１，１１はいずれも、同じ大きさおよび重量を持ち、ボール表面で互いに均等に離間した位置に配置されているため、芝生上でのボール１０の転がり状態は円滑であり、プレーに支障を生じさせない。そうして、ボール１０がホールポスト５１の円周枠５２内に入って止まるまでプレーが繰り返され、そのときの合計打球数がこのコースでのスコアとなる。
【００２０】
一方、コースの途中では、芝生上で停止したボール１０の直後位置にマーカー１７を置いて、ボール１０を取り上げることができる。その後ボール１０が置かれマーカー１７が取り除かれるが、図４に示すように、プレーヤーがクラブヘッド２のソール部５をマーカー１７の上方にかざすと、マーカー１７はソール部５のマグネット８に磁着する。従って、プレーヤーは、腰を曲げたりしゃがんだりすることなく、立ったままの姿勢でマーカー１７を拾い上げることができる。このマーカー１７の拾い上げに際して、プレーヤーは、グリップエンド４Ａにマグネットを配備した従来技術のようにクラブを天地逆に持ち替える必要がない。従って、クラブ持ち替えの面倒をもたらすことなく、円滑にプレーを続行させることができることから、年配のプレーヤーにとっては少しでも楽にプレーできてありがたい。
【００２１】
そのうち、ボール１０がホールポスト５１内に入って止まると、そのコースでのプレーが終了する。そして、ホールポスト５１からボール１０が取り出される。その際に、図５に示すように、プレーヤーはクラブヘッド２のトゥー部６をフレーム体５７，５７，５７の隙間からホールポスト５１内に差し込みポスト内で適度に動かす。すると、トゥー部６のマグネット７にボール１０の鋼板１１が接して吸着される。続いて、図５に示すように、その状態のままクラブヘッド２をホールポスト５１から水平方向（矢印Ｆ方向）に引き出すと、立った姿勢のままでボール１０をホールポスト５１から取り出すことができる。
因みに、ボール拾い上げ用のマグネットをクラブヘッド２のソール部５に取り付けたクラブを想定すると、ホールポスト５１内は比較的狭いので、ボール１０の上方位置にクラブヘッド２を持ってくることができない。従って、ソール部５に配したマグネットによってはホールポスト５１内からボール１０を取り出せないのである。
【００２２】
次に、トゥー部６をやや下向きにして、クラブ１を持ち上げると、図６に示すように、ボール１０は、その１つの鋼板１１がマグネット７に磁着した状態でクラブヘッド２に伴って矢印Ｕのように吊り上げられる。すなわち、このクラブ１とボール１０のセット物Ｓによれば、プレーヤーは腰を曲げたりしゃがんだりすることなく、立ったままの姿勢でボール１０を拾い上げることができる。
【００２３】
以上説明したように、本実施形態によれば、磁着体を取り付けたボール１０、磁着体製のマーカー１７、および、マグネット７，８をクラブヘッド２に取り付けたクラブ１を用いるので、芝生上のボール１０やマーカー１７をクラブヘッド２のマグネット７，８に磁着させることにより、腰を屈めたりしゃがんだりする必要がなく、あるいはクラブ１を天地逆に持ち替える必要がなく、ボール１０やマーカー１７を立ったままの姿勢で拾い上げることができる。これにより、プレーヤーの足腰にかかる負担が軽減化されるから、高齢のプレーヤーでも足腰に苦痛を覚えることなく、楽しくプレーや練習を行なうことができる。
【００２４】
尚、上記の実施形態では、マーカー拾上げ用のマグネット８の取付位置を、クラブ１を吊り下げたときのソール部５の最下位置Ｃにしているが、本発明はそれに限らず、マグネット８をソール部５の何処に取り付けても構わない。例えば、ソール部５の長手方向中央部分（図２参照）のような２点鎖線で示した位置にマグネット８を取り付けてもよい。因みに、ソール部５の後部寄りにマグネット８を取り付けると、マグネット８が打球面部材２Ｂから遠くなるので、鋼板１１付きのボール１０がマグネット８からの磁力の影響を受けにくくなる。従って、プレーの正確さに支障を生じさせない。
【００２５】
同様に、上記ではボール拾上げ用のマグネット７をトゥー部６の前後上下方向の中央部に取り付けているが、本発明はそれに限らず、打球面部材２Ｂからよりいっそう離れた、例えばトゥー部６の後部寄りに取り付けても構わない。この場合も、マグネット７が打球面部材２Ｂから遠くなるので、鋼板１１付きのボール１０がマグネット７からの磁力の影響を受けにくくなり、プレーの邪魔をしない。
【００２６】
また、上記では磁性部材としてネオヂウム磁石とフェライト磁石を用いたが、本発明に用いる磁性部材としては、上記に替えて例えばサマリウム永久磁石、アルニコ永久磁石などを用いることもできる。そして、上記では磁性部材として硬質の永久磁石を用いた例を示したが、本発明における磁性部材は、ボールの磁着体やマーカーの磁着体を吸着することのできるものであれば特に限定されない。例えば、これらに替えて、磁石微粉末を混練した磁性ゴム板材などを用いることも可能である。
【符号の説明】
【００２７】
１    クラブ
２    クラブヘッド
４    グリップ
５    ソール部
６    トゥー部
７    マグネット（第１磁性部材）
８    マグネット（第２磁性部材）
１０  ボール
１１  鋼板（磁着体）
１７  マーカー
Ｃ    最下部位
Ｓ    セット物
【図１】
2011041597.tif 000003
【図２】
2011041597.tif 000004
【図３】
2011041597.tif 000005
【図４】
2011041597.tif 000006
【図５】
2011041597.tif 000007
【図６】
2011041597.tif 000008
【図７】
2011041597.tif 000009